【手続補正書】
【提出日】平成20年4月4日(2008.4.4)
【手続補正１】
【補正対象書類名】明細書
【補正対象項目名】特許請求の範囲
【補正方法】変更
【補正の内容】
【特許請求の範囲】
【請求項１】  データを配信するデータ配信装置と、複数のユーザ端末とがネットワークを介して接続されたデータ配信システムであって、
上記データ配信装置は、複数の情報元から集められた複数の分類のデータを、情報元、情報分類ごとに分類して保持する記憶手段と、個々のユーザ或いはユーザ端末ごとに情報元と情報分類を管理する管理手段とを備え、上記管理手段により管理されている情報元と情報分類に従って、上記記憶手段に保持されたデータを上記複数のユーザ端末へ個別に配信することを特徴とするデータ配信システム。
【請求項２】  上記データ配信装置に情報元、情報分類ごとに分類して保持されたデータには情報料が設定されており、上記ユーザ端末に配信するデータに応じて情報料を設定する設定手段を備えたことを特徴とする請求項１に記載のデータ配信システム。
【請求項３】  上記情報料の設定を、その配信先の数により変更させる変更手段を備えたことを特徴とする請求項２に記載のデータ配信システム。
【請求項４】  上記ユーザ端末は、設定された時刻に上記データ配信装置に接続するための計時手段を備えたことを特徴とする請求項１に記載のデータ配信システム。
【請求項５】  上記管理手段により管理されている情報元と情報分類を、上記ユーザ端末或いは上記ネットワークに接続する情報処理装置により、上記ネットワークを介して変更することを特徴とする請求項１に記載のデータ配信システム。
【請求項６】  上記管理手段は、個々のユーザ或いはユーザ端末ごとに、上記情報元と情報分類に加えて、出力サイズ、出力の順番のうち少なくともいずれか一方を管理していることを特徴とする請求項１に記載のデータ配信システム。
【請求項７】  上記管理手段により管理されている出力サイズ、出力の順番のうち少なくともいずれか一方を、上記ユーザ端末或いは上記ネットワークに接続する情報処理装置により、上記ネットワークを介して変更することを特徴とする請求項６に記載のデータ配信システム。
【請求項８】  上記データ配信装置は、上記複数の情報元からの複数の分類のデータを通信手段を介して集めることを特徴とする請求項１に記載のデータ配信システム。
【請求項９】  上記データ配信装置は、上記複数の情報元から集められた複数の分類のデータを受けることにより、上記記憶手段に記憶されたデータを変更することを特徴とする請求項８に記載のデータ配信システム。
【請求項１０】  上記ユーザ端末は、印刷装置或いは表示装置であることを特徴とする請求項１に記載のデータ配信システム。
【請求項１１】  ネットワークを介してデータを配信するデータ配信装置であって、
複数の情報元から集められた複数の分類のデータを、情報元、情報分類ごとに分類して保持する記憶手段と、
配信先の個々のユーザ或いはユーザ端末ごとに情報元と情報分類を管理する管理手段とを備え、
上記管理手段により管理されている情報元と情報分類に従って、上記記憶手段に保持されたデータを上記複数のユーザ端末へ個別に配信することを特徴とするデータ配信装置。
【請求項１２】  ネットワークを介してデータを配信するデータ配信方法であって、
複数の情報元から集められた複数の分類のデータを、情報元、情報分類ごとに分類して記憶手段に保持させる処理と、
配信先の個々のユーザ或いはユーザ端末ごとに情報元と情報分類を管理する処理と、
上記管理されている情報元と情報分類に従って、上記記憶手段に保持されたデータを上記複数のユーザ端末へ個別に配信する処理とを有することを特徴とするデータ配信方法。
【請求項１３】  ネットワークを介してデータを配信する処理をコンピュータに実行させるコンピュータプログラムであって、
複数の情報元から集められた複数の分類のデータを、情報元、情報分類ごとに分類して記憶手段に保持させる処理と、
配信先の個々のユーザ或いはユーザ端末ごとに情報元と情報分類を管理する処理と、
上記管理されている情報元と情報分類に従って、上記記憶手段に保持されたデータを上記複数のユーザ端末へ個別に配信する処理とをコンピュータに実行させることを特徴とするコンピュータプログラム。
【請求項１４】  請求項１３に記載のコンピュータプログラムを格納したことを特徴とするコンピュータ読み取り可能な記憶媒体。
【手続補正２】
【補正対象書類名】明細書
【補正対象項目名】０００８
【補正方法】変更
【補正の内容】
【０００８】
【課題を解決するための手段】
課題を解決するための手段として、本発明のデータ配信システムについて述べると、本発明のデータ配信システムは、データを配信するデータ配信装置と、複数のユーザ端末とがネットワークを介して接続されたデータ配信システムであって、上記データ配信装置は、複数の情報元から集められた複数の分類のデータを、情報元、情報分類ごとに分類して保持する記憶手段と、個々のユーザ或いはユーザ端末ごとに情報元と情報分類を管理する管理手段とを備え、上記管理手段により管理されている情報元と情報分類に従って、上記記憶手段に保持されたデータを上記複数のユーザ端末へ個別に配信する点に特徴を有する。
【手続補正３】
【補正対象書類名】明細書
【補正対象項目名】０００９
【補正方法】変更
【補正の内容】
【０００９】
また、本発明のデータ配信システムの他の特徴とするところは、上記データ配信装置に情報元、情報分類ごとに分類して保持されたデータには情報料が設定されており、上記ユーザ端末に配信するデータに応じて情報料を設定する設定手段を備えた点にある。
【手続補正４】
【補正対象書類名】明細書
【補正対象項目名】００１０
【補正方法】変更
【補正の内容】
【００１０】
また、本発明のデータ配信システムの他の特徴とするところは、上記情報料の設定を、その配信先の数により変更させる変更手段を備えた点にある。
【手続補正５】
【補正対象書類名】明細書
【補正対象項目名】００１１
【補正方法】変更
【補正の内容】
【００１１】
また、本発明のデータ配信システムの他の特徴とするところは、上記ユーザ端末は、設定された時刻に上記データ配信装置に接続するための計時手段を備えた点にある。
【手続補正６】
【補正対象書類名】明細書
【補正対象項目名】００１２
【補正方法】変更
【補正の内容】
【００１２】
また、本発明のデータ配信システムの他の特徴とするところは、上記管理手段により管理されている情報元と情報分類を、上記ユーザ端末或いは上記ネットワークに接続する情報処理装置により、上記ネットワークを介して変更する点にある。
【手続補正７】
【補正対象書類名】明細書
【補正対象項目名】００１３
【補正方法】変更
【補正の内容】
【００１３】
また、本発明のデータ配信システムの他の特徴とするところは、上記管理手段は、個々のユーザ或いはユーザ端末ごとに、上記情報元と情報分類に加えて、出力サイズ、出力の順番のうち少なくともいずれか一方を管理している点にある。
【手続補正８】
【補正対象書類名】明細書
【補正対象項目名】００１４
【補正方法】変更
【補正の内容】
【００１４】
また、本発明のデータ配信システムの他の特徴とするところは、上記管理手段により管理されている出力サイズ、出力の順番のうち少なくともいずれか一方を、上記ユーザ端末或いは上記ネットワークに接続する情報処理装置により、上記ネットワークを介して変更する点にある。
【手続補正９】
【補正対象書類名】明細書
【補正対象項目名】００１５
【補正方法】変更
【補正の内容】
【００１５】
また、本発明のデータ配信システムの他の特徴とするところは、上記データ配信装置は、上記複数の情報元からの複数の分類のデータを通信手段を介して集める点にある。
【手続補正１０】
【補正対象書類名】明細書
【補正対象項目名】００１６
【補正方法】変更
【補正の内容】
【００１６】
また、本発明のデータ配信システムの他の特徴とするところは、上記データ配信装置は、上記複数の情報元から集められた複数の分類のデータを受けることにより、上記記憶手段に記憶されたデータを変更する点にある。